(57)【要約】      （修正有）【課題】従来にない新規な方法で陰茎を保持するための男性用下着を提供する。【解決手段】男性用下着１は、保持具本体１０と、男性用下着を人体に装着するために腰に固定される腰紐２０と、股間部分を覆うためのカバー３０とを備えている。保持具本体１０は、腰紐２０の前部に接続される前側接続部と、陰茎が挿入される筒部と、前記腰紐２０の後部に接続される後側接続部とを備えている。保持具本体１０及びカバー３０は、腰紐２０に対して着脱可能に構成されている。保持具本体１０は、下方から後方に引っ張られた状態の陰茎を筒部に挿入した状態で人体に装着され、前記筒部により面接触で陰茎を上方の股間に押しつけて固定する。【選択図】図１
0003143285.tif 000002
【実用新案登録請求の範囲】
【請求項１】
陰茎を股間に押しつけて固定するための男性用下着において、
腰に固定される腰紐と、
前記腰紐の前部に接続される前側接続部と、陰茎が挿入される筒部と、前記腰紐の後部に接続される後側接続部とを備え、前記腰紐に対して着脱可能に構成された保持具本体と、
を備え、下方から後方に引っ張られた状態の陰茎を前記保持具本体の筒部に挿入した状態で人体に装着することで、前記筒部により面接触で陰茎を上方の股間に押しつけて固定することを特徴とする男性用下着。
【請求項２】
前記保持具本体を覆い隠すためのカバーであって、前記腰紐に対して着脱可能に構成されたカバーをさらに備えることを特徴とする請求項１記載の男性用下着。
【請求項３】
前記保持具本体の筒部は、伸縮性のあるストッキング素材で形成されており、当該筒部内に挿入される陰茎の全周に密着して保持することを特徴とする請求項１又は２記載の男性用下着。
【考案の詳細な説明】
【技術分野】
【０００１】
本考案は、男性の陰茎を固定して保持するための男性用下着に関する。
【背景技術】
【０００２】
従来から、快適さ等を追求するために、男性の下半身用下着として様々な種類の下着が提供されているが、通常は、重力によって下向きになった陰茎と陰嚢とを自然な状態で保持する下着がほとんどである。
【０００３】
一方、下記特許文献１乃至３には、陰茎を特殊な方法で保持する男性用下着が開示されている。
【特許文献１】特開２００３−１１１７８８号公報
【特許文献２】特開２００５−２３４８６号公報
【特許文献３】特開２００７−７０７８５号公報
【０００４】
特許文献１には、失禁患者、幼児、寝たきり老人等に使用する男性用吸収性物品であって、着用したときに陰茎が外部に突出する穴部が前面に形成された着用部品と、この穴部の外側に着脱自在に装着され、穴部から外部に突出した陰茎が挿入される袋部品とからなる男性用吸収性物品が開示されている。
【０００５】
特許文献２には、装着時の蒸れを防止すると共に下着内のずれを防止でき、特に運動時の着用に適した男性用下着であって、下着本体の股間部の略袋状の陰嚢収容部と、下着本体前面の穴の外周部分に設置された略輪状の陰茎支持鍔部とを有する男性用下着が開示されている。
【０００６】
特許文献３には、陰茎を適切な位置に配置して、スポーツ時や激しい運動時に身体の動きを阻害したりせず、湿気や蒸れ等による不快感を軽減させる男性用パンツであって、陰茎を上方に向けて固定するために本体前面に陰茎収納用ポケットが設置された男性用パンツが開示されている。
【考案の開示】
【考案が解決しようとする課題】
【０００７】
従来の一般的な男性用下着や、上記特許文献１乃至３に開示された男性用下着であってもある程度の快適性は得られる。しかし、さらなる爽快感や快適性等を得られる男性用下着への需要もある。そこで、本考案は、従来にない新規な方法で陰茎を保持するための男性用下着を提供することを目的とする。
【課題を解決するための手段】
【０００８】
上記課題を解決するために、本考案に係る男性用下着は、陰茎を股間に押しつけて固定するための男性用下着において、
腰に固定される腰紐と、
前記腰紐の前部に接続される前側接続部と、陰茎が挿入される筒部と、前記腰紐の後部に接続される後側接続部とを備え、前記腰紐に対して着脱可能に構成された保持具本体と、
を備え、下方から後方に引っ張られた状態の陰茎を前記保持具本体の筒部に挿入した状態で人体に装着することで、前記筒部により面接触で陰茎を上方の股間に押しつけて固定することを特徴とする。
【考案の効果】
【０００９】
本考案に係る男性用下着によれば、着用者に不快な感じを与えることなく、陰茎を股間に押しつけてしっかりと安定して固定することができると共に、下着の着脱を容易に行うことができる。
【考案を実施するための最良の形態】
【００１０】
以下、図面を参照しながら、本考案の実施形態について詳細に説明する。図１は、本実施形態に係る男性用下着の斜視図である。同図に示すように、男性用下着１は、保持具本体１０と、男性用下着を人体に装着するために腰に固定される腰紐２０と、股間部分を覆うためのカバー３０とを備えている。
【００１１】
図２は、本実施形態に係る保持具本体の斜視図、図３は、本実施形態に係る保持具本体の側縁部の縫い合わせ状態をイメージ的に示す概略図である。図２及び図３に示すように、保持具本体１０は、三枚の第１〜第３帯形布状部材１１，１２，１３の両側縁部が縫い合わされて構成されており、長辺方向において、前側に前側接続部１０ａ、真ん中に筒部１０ｂ、後側に後側接続部１０ｃが形成されている。
【００１２】
前側接続部１０ｂ及び後側接続部１０ｃは、保持具本体１０を人体に装着するために、人体の腰部に固定された腰紐２０に接続される部分であり、双方の先端部分には、後述する腰紐２０のボタンを留めるためのボタン穴１８が２つずつ形成されている。
【００１３】
筒部１０ｃにおいては、第１〜第３帯形布状部材１１，１２，１３によって、陰茎が挿入される筒が形成されている。図３に示すように、最も上側に位置する第１帯形布状部材１１と真ん中に位置する帯形布状部材１２とは、その重なった部分において、両側縁部が縫い合わされている。人体への装着時には、両者に挟まれた筒状空間内に陰茎が挿入されることになる。
【００１４】
第１帯形布状部材１１と第２帯形布状部材１２は、長辺方向の側縁部のみが縫い合わされており、それぞれの前側端や後側端等の短辺部は縫い合わされておらず、第１帯形布状部材１１の前側端（図３中の左側端）１５ａの箇所が、保持具本体１０の筒部１０ｂの入口となる。第２帯形布状部材１２の後側端１５ｂの縁部は、陰茎の固定時に、後述するように筒部１０ｂに挿入された陰茎のカリ首に引っ掛けられることになる。
【００１５】
図３に示すように、第２帯形布状部材１２と第３帯形布状部材１３も側縁部が縫い合わされているが、一部（第２長帯形布状部材１２の後端から前側に4cm程度の部分）は縫い合わされていない。この縫い合わされていない部分は、開口１９となっており、排尿時にこの開口１９から亀頭先端を露出させることが可能である。
【００１６】
第２帯形布状部材１２の前側端１５ｃの短辺部は、第３帯形布状部材と縫い合わされている。一方、第２帯形布状部材１２の後側端１５ｂは、第１帯形布状部材１１及び第３帯形布状部材１３の何れとも縫い合わされておらず、上述したように、第２帯形布状部材１２の後側端１５ｂの縁部は陰茎のカリ首に引っ掛けられる部分となる。
【００１７】
また、筒部１０ｂの後側部分の第２帯形布状部材１２が存在しない箇所では、第１帯形布状部材１１と第３帯形布状部材１３の両側縁部が直接縫い合わされている。なお、第３帯形布状部材１３の後側端１５ｄの短辺部は、第１帯形布状部材１１と縫い合わされており、筒部１０ｂの後側は閉じられた閉端となっている。もちろん、後側端１５ｄの部分を縫い合わせず、開放端としても良い。
【００１８】
このような構成の保持具本体１０の素材としては、パンティストッキングに用いられるストッキング素材であるポリウレタンやナイロン等の合成繊維から形成された縦横に伸縮性の高い布状部材を用いることができる。伸縮性の高い素材であれば、筒内に挿入された陰茎の全周に密着して包み込むことができ、より確実に固定することができるが、もちろん、伸縮性の低いその他の素材を用いても良い。
【００１９】
図４は、本実施形態に係る腰紐の斜視図である。同図に示すように、腰紐２０は、輪状の紐であり、腰に着実に固定できるように弾性力のあるゴム製の紐である。腰紐２０は、腰紐本体２１と、保持具本体固定用ボタン２２ａ〜２２ｄと、カバー固定用ボタン２４ａ〜２４ｄとを備えている。
【００２０】
保持具本体１０を固定するための固定用ボタン２２ａ，２２ｂは、本体２１の前面側中央付近に設けられ、固定用ボタン２２ｃ，２２ｄは、本体２１の後面側中央付近に設けられている。図１に示すように、この固定用ボタン２２が保持具本体１０のボタン穴１８に留められて、保持具本体１０が人体に装着される。
【００２１】
カバー３０を固定するための固定用ボタン２４ａ，２４ｂは、本体２１の前面側両端付近に設けられており、固定用ボタン２４ｃ，２４ｄは、本体２１の後面側両端付近に設けられている。図１に示すように、この固定用ボタン２４に、カバー３０の吊り紐が引っ掛けられて、カバー３０が人体に装着される。
【００２２】
図５は、本実施形態に係るカバーの斜視図である。同図に示すように、カバー３０は、カバー本体３１と、カバー本体３１の四隅に設けられた輪状の装着用吊り紐３２ａ〜３２ｄとを備えている。なお、カバー本体３１は、肌触りを考慮して、絹（シルク）製の織物である。
【００２３】
カバー本体３１の前側に設けられた装着用吊り紐３２ａ，３２ｂは、腰紐２０の固定用ボタン２４ａ，２４ｂに引っ掛けられ、カバー本体３１の後側に設けられた装着用吊り紐３２ｃ，３２ｄは、腰紐２０の固定用ボタン２４ｃ，２４ｄに引っ掛けられることで、カバー本体３１が股間を覆って隠すように人体に装着される。
【００２４】
以上、本実施形態に係る男性用下着の構成について詳細に説明したが、続いて、このような構成の男性用下着１を人体に装着する際の流れについて説明する。まず、腰紐２０を腰回りに装着する。そして、陰茎を保持具本体１０の第１帯形布状部材１１と第２帯形布状部材１２とによって挟まれた筒状空間に挿入する。このとき、包皮を剥いて露出させた亀頭のカリ首部分が第２帯形布状部材１２の後側端部１５ｂを超える位置まで陰茎を挿入する必要がある。
【００２５】
このようにして、陰茎を保持具本体１０内に挿入した後に、保持具本体１０の４つのボタン穴１８をそれぞれ対応する腰紐２０のボタン２２に留めることで、保持具本体１０の装着が完了する。なお、保持具本体１０を腰紐２０に取り付ける際には、陰茎を後方に引っ張りながら行う必要がある。保持具本体１０が装着されると、前側接続部１０ａを介して、筒部１０ｂの前側が前側上方に、後側接続部１０ｃを介して筒部１０ｂの後側が後側上方に引っ張られる。
【００２６】
そうすると、陰茎自体は、保持具本体１０の内側下面（第２帯形布状部材１２の上面）によって、股間に押しつけられ、しっかりと固定される。また、陰茎は、後側に引っ張られた状態で筒部１０ｂに保持されているため、前側に戻ろうとするが、亀頭の表側カリ首が第２帯形布状部材１２の後側端１５ｂの縁部分に引っ掛かるので、戻ることができない。
【００２７】
また、第２帯形布状部材１２の後側端部１５ｂよりも後方に突出した亀頭部分も、第１帯形布状部材１１と第３帯形布状部材１３によって挟まれて外部に露出しないで済むと共に、上方に押されてより強固に固定される。ここで、陰茎の表側とは、非勃起状態の陰茎が自然に垂れ下がった状態で外側に向く側であり、陰茎小帯（裏筋）が位置する裏側の反対側である。
【００２８】
続いて、カバー３０の４つの吊り紐３２をそれぞれ対応する腰紐２０のボタン２４に留めることで、カバー３０の装着も完了し、本実施形態に係る男性用下着１の装着が完了する。
【００２９】
このように、本実施形態に係る男性用下着によれば、包皮を剥いた亀頭を下方から後方に引っ張って股間に押しつけた状態で陰茎を保持することにより、陰茎と陰嚢とを人体に対してしっかりと固定することができる。よって、スポーツ等の激しい動きをする場合であっても、陰茎や陰嚢が移動して邪魔になったり、不快な感じとなったりすることがない。
【００３０】
また、本実施形態では、腰紐に対して保持具本体とカバーとを着脱可能に構成しているため、下着の着脱を容易に行うことができる。特に、本実施形態に係る男性用下着を装着する際には、陰茎を保持具本体の筒部内に挿入する必要があるなど手間がかかるが、着脱可能な保持具本体であれば、保持具本体側を自由な位置に持って行くことができるので、陰茎を挿入する際の作業性を大きく向上させることができる。
【００３１】
また、本実施形態では、陰茎の固定に際して、陰茎の根元から亀頭のカリ首までの表側を布状部材によって面接触で押さえつけると共に、カリ首に筒形布状部材の縁部を引っ掛けて固定しているので、着用者に痛みや不快感を与えることなく、安定して陰茎を固定することができる。
【００３２】
さらに、本実施形態では、非勃起状態（陰茎の海綿体に血液が十分に満たされていない状態）の陰茎を勃起状態の長さに近い長さまで引っ張った状態で、男性用下着によって保持して固定しており、装着者はある種の爽快感や快適感を得ることができる。なお、本明細書における勃起状態に近い長さとは、完全に勃起した状態の長さの７割程度以上の長さのことをいうものとする。また、本実施形態によれば、陰茎が前方に飛び出さないため、本実施形態に係る男性用下着は、ニューハーフや性同一性障害者等、陰茎を隠したい者にとっても重宝される。
【００３３】
また、本実施形態においては、包皮を剥いて亀頭を露出させた状態で陰茎を固定しており、仮性包茎の場合に陰毛が亀頭を覆う包皮に巻き込まれるといった事態を回避することができると共に、包茎の矯正にも寄与することができる。
【００３４】
なお、本実施形態においては、本考案の趣旨を逸脱しない範囲内で種々の変形が可能であり、各構成部材のサイズや形状は、着用者の体型に合わせて適宜変更可能であり、素材等も適宜変更可能である。例えば、第２帯形布状部材１２の前側端は、第３帯形布状部材１３の前側端と同じ位置まで伸びる長さとしても良いし、第１帯形布状部材１１の前側端１５ａまでの長さとしても良い。
【００３５】
また、本実施形態では、保持具本体及びカバーを腰紐に固定するためにボタンを用いているが、例えば、面ファスナー、いわゆるマジックテープ（登録商標）等、手軽に着脱可能な接続部材であれば、適宜他の接続部材を採用しても良い。
【図面の簡単な説明】
【００３６】
【図１】図１は、本実施形態に係る男性用下着の斜視図である。
【図２】図２は、本実施形態に係る男性用下着の保持具本体の斜視図である。
【図３】図３は、本実施形態に係る男性用下着の保持具本体の側縁部の縫い合わせ状態をイメージ的に示す概略図である。
【図４】図４は、本実施形態に係る男性用下着の腰紐の斜視図である。
【図５】図５は、本実施形態に係る男性用下着のカバーの斜視図である。
【符号の説明】
【００３７】
１              男性用下着
１０            保持具本体
１０ａ          前側接続部
１０ｂ          筒部
１０ｃ          後側接続部
１１〜１３      第１〜第３筒形布状部材
１８            ボタン穴
２０            腰紐
２１            腰紐本体
２２            保持具本体固定用ボタン
２４            カバー固定用ボタン
３０            カバー
３１            カバー本体
３２            装着用吊り紐
【図１】
0003143285.tif 000003
【図２】
0003143285.tif 000004
【図３】
0003143285.tif 000005
【図４】
0003143285.tif 000006
【図５】
0003143285.tif 000007